(57)【要約】【課題】プリント回路基板の剥離、破壊を生じることなく安定して保持することができるとともに一層の小型化が可能なディスク装置を提供する。【解決手段】  矩形状の実装面１１を有した矩形箱状の筐体１０を備え、筐体内には、ディスク状の記録媒体、記録媒体を支持および回転させる駆動モータ、記録媒体に対して情報処理を行うヘッド、ヘッドを移動自在に支持しているとともに記録媒体に対して移動させるヘッドアクチュエータが配設されている。筐体の実装面に重ねて矩形状の制御回路基板１２が設けられている。実装面の角部を含む筐体の４つの角部は円弧状に形成されている。制御回路基板は、実装面の４辺にそれぞれ整列して延びた４辺と、それぞれ斜めに切欠かれ実装面の４つの角部を露出させた４つの角部とを有している。実装面の露出した４つの角部を含む筐体の角部は、筐体を保持するための保持部７８を構成している。【選択図】      図４
2005317163.tif 000002
【特許請求の範囲】
【請求項１】
矩形状の実装面を有した矩形箱状の筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体の実装面に重ねて設けられた矩形状の制御回路基板と、を備え、
前記実装面の角部を含む前記筐体の４つの角部は円弧状に形成され、
前記制御回路基板は、前記実装面の４つの辺にそれぞれ整列して延びた４つの辺と、それぞれ斜めに切欠かれ前記実装面の４つの角部を露出させた４つの角部とを有し、
前記実装面の露出した４つの角部を含む前記筐体の角部は前記筐体を保持するための保持部を構成しているディスク装置。
【請求項２】
前記実装面の露出した４つの角部は、前記実装面の他の領域よりも突出して形成され、前記制御回路基板と同一平面に位置している請求項１に記載のディスク装置。
【請求項３】
前記実装面の露出した４つの角部は、前記実装面の他の領域よりも突出して、かつ、前記制御回路基板を超えて突出して形成されている請求項１に記載のディスク装置。
【請求項４】
前記筐体は、第１シェルおよびこの第１シェルと対向して設けられ、第１シェルと共同して筐体を構成した第２シェルと、を有し、前記第１および第２シェルは、互いに対向した周縁部をそれぞれ有し、
前記筐体は、前記第１および第２シェルの周縁部に巻装され前記周縁部を互いに接続しているとともに、前記周縁部間の隙間を閉塞したシール材を備えている請求項１ないし３のいずれか１項に記載のディスク装置。
【請求項５】
前記筐体に装着された取り付け補助具を備え、前記取り付け補助具は、前記筐体の外周部に嵌合された枠状の本体と、前記本体の角部に設けられ、前記実装面の露出した角部を含む前記筐体の保持部に係合した係合部と、上記本体から外方に延出しているとともに取り付け用のねじを挿通可能な透孔を有した複数のブラケットと、を有している請求項１ないし４のいずれか１項に記載のディスク装置。
【請求項６】
前記制御回路基板から延出しているとともに接続端子を有した接続ケーブルを備え、前記取り付け補助具は、前記接続端子が露出した状態で前記接続ケーブルを支持したケーブル支持部を有している請求項５に記載のディスク装置。
【請求項７】
前記筐体および制御回路基板は、長手方向の寸法が約３２ｍｍ、幅方向の寸法が約２４ｍｍ、筐体および制御回路基板を含む厚さが約３．３ｍｍに形成されている請求項１ないし６のいずれか１項に記載のディスク装置。
【請求項８】
前記記録媒体は、直径０．８５インチに形成されている請求項１ないし７のいずれか１項に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
筐体の外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００４】
磁気ディスク装置として、カード状に薄く形成され、例えばパーソナルコンピュータのカードスロットに装填可能としたものが提供されている（例えば、特許文献１）。このようなカード状の磁気ディスク装置では、従来の磁気ディスク装置に比較して薄型、かつ、小型にする必要があるため、板状のベースに種々の構成要素を実装するとともに、ベースの周縁に沿って支持枠を固定し、更に、この支持枠に板状のトップカバーを取付けている。また、ベースの裏面側にプリント回路基板を設け、プリント回路基板上のＩ／Ｆコネクタは、支持枠に設けられた専用の固定部材により位置決め保持されている。
【特許文献１】特開２００１−２１００５８号公報
【発明の開示】
【発明が解決しようとする課題】
【０００５】
近年、磁気ディスク装置は、より多種の電子機器、特に、より小型の電子機器の記録装置として用いることができるように、一層の小型化が進められている。例えば、ディスクの直径が１インチ以上の磁気ディスク装置において、筐体の表面に重ねて配置されるプリント回路基板は、筐体表面の面積よりも小さくすることができる。しかしながら、ディスクの直径が１インチ以下の磁気ディスク装置では、筐体の小型化に伴い、プリント回路基板を実装するための筐体表面も小さくなる。そのため、筐体表面のほぼ全面を覆った状態でプリント回路基板を設ける必要がある。また、小型の磁気ディスク装置においては、装置全体の厚さを薄くするため、プリント回路基板自体も薄く形成され、強度的に弱くなっている。
【０００６】
このようなプリント回路基板を筐体表面全体に重ねて設けた磁気ディスク装置を保持する場合、磁気ディスク装置の４角部を保持することになるが、この際、プリント回路基板が剥離もしくは破壊するという問題がある。
【０００７】
この発明は以上の点に鑑みなされたもので、その目的は、プリント回路基板の剥離、破壊を生じることなく安定して保持することができるとともに一層の小型化が可能なディスク装置を提供することにある。
【課題を解決するための手段】
【０００８】
上記目的を達成するため、この発明に係るディスク装置は、矩形状の実装面を有した矩形箱状の筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、
前記筐体の実装面に重ねて設けられた矩形状の制御回路基板と、を備え、  
前記実装面の角部を含む前記筐体の４つの角部は円弧状に形成され、前記制御回路基板は、前記実装面の４つの辺にそれぞれ整列して延びた４つの辺と、それぞれ斜めに切欠かれ前記実装面の４つの角部を露出させた４つの角部とを有し、前記実装面の露出した４つの角部を含む前記筐体の角部は前記筐体を保持するための保持部を構成している。
【発明の効果】
【０００９】
以上詳述したように、この発明によれば、プリント回路基板の剥離、破壊を生じることなく安定して保持することが可能な小型のディスク装置を提供することができる。
【発明を実施するための最良の形態】
【００１０】
以下図面を参照しながら、この発明をハードディスクドライブ（以下ＨＤＤと称する）に適用した実施形態について詳細に説明する。  
図１および図２に示すように、ＨＤＤは後述する種々の部材が収納されたほぼ矩形箱状の筐体１０と、筐体１０の実装面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴが５ｍｍあるいは３．３ｍｍ程度に形成されている。
【００１１】
図２ないし図５に示すように、ＨＤＤの本体を構成した筐体１０は、互いにほぼ等しい寸法に形成された第１シェル１０ａおよび第２シェル１０ｂにより構成されている。第１および第２シェル１０ａ、１０ｂは、それぞれ金属によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の筐体１０が構成されている。
【００１２】
第１シェル１０ａの底面は矩形状の実装面１１を形成している。そして、この実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１３】
筐体１０内において、筐体の周縁部には複数の支持ポスト１８が設けられている。各支持ポスト１８は、ゴム等の弾性材を介して第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１４】
筐体１０内には、情報記録媒体として機能する例えば、０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドＩＣ等を有する基板ユニット３４等が収納されている。
【００１５】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１６】
枢軸３６には、図しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１７】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００１８】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。
【００１９】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２０】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上との間で磁気ディスク上を回動し、磁気ヘッド２４は磁気ディスク２０の所望のトラック上に位置決めされる。第１シェル１０ａに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２１】
ランプロード機構３０は、第１シェル１０ａの内面に固定され磁気ディスク２０の周縁部と対向して位置したランプ部材７０と、サスペンション６０の先端から延出し係合部材として機能するタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。
【００２２】
基板ユニット３４は、フレキシブルプリント回路基板により形成された本体３４ａを有し、この本体３４ａは第１シェル１０ａの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するための図示しないコネクタが実装されている。このコネクタは、第１シェル１０ａに形成された開孔を介して第１シェルの実装面１１に露出している。
【００２３】
図２、図４、および図５に示すように、プリント回路基板からなる制御回路基板１２は筐体１０の実装面１１とほぼ等しいの長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。また、制御回路基板１２上には、複数の電子部品７４、コネクタ７１が実装されているとともに、ＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子７５が形成されている。また、制御回路基板１２の４つの角部は、それぞれ斜めに、例えば、各辺に対して４５度の角度で斜めに切欠かれ、それぞれ切欠き部７７を形成している。
【００２４】
上記のように形成された制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００２５】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００２６】
以上のように構成されたＨＤＤによれば、実装面１１の角部を含む筐体１０の角部は円弧状に形成され、また、実装面上に設けられた制御回路基板１２の４つの角部は斜めに切欠かれ、それぞれ切欠き部７７を形成している。そして、実装面１１の露出した４つの角部を含む筐体１０の角部は、筐体を保持するための保持部７８をそれぞれ構成している。そのため、例えば、ＨＤＤを他の電子器機内に実装する際、制御回路基板１２に接触することなく筐体１０の４つの保持部７８を保持した状態で実装することができる。従って、制御回路基板１２を薄く形成し、かつ、角部を除いて、実装面１１の全面に重ねて制御回路基板を配置した場合でも、制御回路基板に機械的な負荷が作用することを防止し、制御回路基板の剥離、破壊を生じることなくＨＤＤを安定して保持することができる。
【００２７】
筐体１０を構成した第１および第２シェル１０ａ、１０ｂは、一方のシェルに立設された支持ポスト１８により互いに所定の隙間を置いて対向支持されている。そのため、筐体１０に外力が作用した場合でも、筐体１０および内部に収納された構成要素の損傷を防止することができる。この際、各支持ポスト１８の基端は弾性材を介してシェルに固定されているため、衝撃を吸収することができるとともに、第１および第２シェル間の寸法誤差、組立誤差を吸収することができる。更に、支持ポスト１８を用いることにより、第１および第２シェル１０ａ、１０ｂ間のねじ止め箇所を少なくし、組立性、メインテナンス性を向上することが可能となる。
【００２８】
上記のように構成されたカード状かつ携帯可能なＨＤＤは、例えば、携帯電話機、デジタルカメラ、ビデオカメラ、パーソナルデジタルアシスタント（ＰＤＡ）等、種々の電子機器の記録装置として用いることができる。
【００２９】
図６ないし図８に示す第２の実施形態のように、上述したＨＤＤを電子機器内に内蔵する据え置き型のＨＤＤとして構成する場合、電子機器側への取り付けを補助する取り付け補助具１２０を備えていてもよい。取り付け補助具１２０は、筐体１０の外周部に嵌合された矩形枠状の本体１２２と、本体の角部にそれぞれ固定された４つのブラケット１２５と、を有している。本体１２２は、ゴム、合成樹脂等の弾性材料で形成され、筐体１０の周縁部に弾性的に嵌合されている。
【００３０】
各ブラケット１２５は例えばゴム、合成樹脂等により形成されている。各ブラケット１２５は、本体１２２の各角部に外側から嵌合され、本体の角部上下から本体内に突出した一対の係合部１２８と、外方に延出した脚部１２４とを一体に備えている。一対の係合部１２８は所定の隙間を置いて互いに対向している。これらの係合部１２８は、筐体１０の保持部７８を上下から挟んだ状態で筐体に係合している。この際、係合部１２８は、制御回路基板１２に接触することなく筐体１０に係合している。脚部１２４には透孔１２６が形成され、この透孔１２６には、例えば、ＨＤＤ８を電子機器の装着部に取り付けるためのねじを挿通可能となっている。
【００３１】
本体１２２の一側壁には、スリット１３０が形成されているとともに、このスリットの両側から外方へ延出した一対の保持突起１３２が一体的に形成されている。ケーブル支持部材として機能する一対の保持突起１３２は互いに平行に対向し、その対向面にはそれぞれ支持溝１３４が形成されスリット１３０まで延びている。制御回路基板１２から延出し接続ケーブルを構成したフレキシブルプリント回路基板７６は、本体１２２のスリット１３０を通して外方に引き出され、その両側縁部が保持突起１３２の支持溝１３４にそれぞれ係合している。これにより、フレキシブルプリント回路基板８６の延出端部は、保持突起１３２により所定位置に保持されている。
【００３２】
上記のような取り付け補助具１２０をＨＤＤに装着することにより、ＨＤＤを電子機器内の所望の位置に容易に取り付けることが可能となる。同時に、接続端子７５が設けられているフレキシブルプリント回路基板７６の延出端部は、保持突起１３２により所定位置に保持されているため、電子機器側と容易にかつ確実に電気的接続が可能となる。また、取り付け補助具１２０は、制御回路基板１２に接触することなく筐体１０の周縁部および保持部７８に係合した状態で取り付けられているため、制御回路基板に機械的な負荷が作用することを防止し、制御回路基板の剥離、破壊を生じることなくＨＤＤを安定して保持することができる。
【００３３】
図９に示すように、この発明の第３の実施形態に係るＨＤＤによれば、筐体１０の実装面において、制御回路基板１２の切欠き部７７と対向した４つの角部は、実装面の他の領域よりも突出して形成され、制御回路基板１２と同一平面に位置している。
【００３４】
図１０に示すように、この発明の第３の実施形態に係るＨＤＤによれば、筐体１０の実装面において、制御回路基板１２の切欠き部７７と対向した４つの角部は、実装面の他の領域よりも突出して、かつ、制御回路基板を超えて突出して形成されている。
【００３５】
第３および第４の実施形態において、実装面１１の露出した４つの角部を含む筐体１０の角部は、筐体を保持するための保持部７８をそれぞれ構成している。そのため、ＨＤＤを他の電子器機内に実装する際、制御回路基板１２に接触することなく筐体１０の４つの保持部７８を保持した状態で実装することができる。従って、制御回路基板１２を薄く形成し、かつ、角部を除いて、実装面１１の全面に重ねて制御回路基板を配置した場合でも、制御回路基板に機械的な負荷が作用することを防止し、制御回路基板の剥離、破壊を生じることなくＨＤＤを安定して保持することができる。
【００３６】
第３および第４の実施形態において、他の構成は前述した第１の実施形態と同一であり、同一の部分には同一の参照符号を付してその詳細な説明を省略した。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、磁気ディスクの枚数は１枚に限らず、必要に応じて増加可能である。磁気ディスクは、０．８５インチに限らず、１．８インチあるいは２．５インチとしてもよい。また、制御回路基板は、接続ケーブルに代えて、外部機器と接続するためのコネクタを備えた構成としてもよい。
【図面の簡単な説明】
【００３８】
【図１】この発明の第１の実施形態に係るＨＤＤを示す斜視図。
【図２】前記ＨＤＤの分解斜視図。
【図３】前記ＨＤＤの筐体および内部構造を示す分解斜視図。
【図４】前記ＨＤＤの制御回路基板側を示す斜視図。
【図５】図１の線Ａ−Ａに沿ったＨＤＤの断面図。
【図６】この発明の第２の実施形態に係るＨＤＤを示す斜視図。
【図７】前記第２の実施形態に係るＨＤＤを示す分解斜視図。
【図８】前記第２の実施形態に係るＨＤＤの一部を破断して示す側面図。
【図９】この発明の第３の実施形態に係るＨＤＤを示す斜視図。
【図１０】この発明の第４の実施形態に係るＨＤＤを斜視図。
【符号の説明】
【００３９】
１０…筐体、  １０ａ…第１シェル、  １０ｂ…第２シェル、
１２…制御回路基板、  １８…支持ポスト、  ２０…磁気ディスク、
２２…スピンドルモータ、  ２４…磁気ヘッド、  ２６…キャリッジ、
２８…ＶＣＭ、  ３０…ランプロード機構、  ３４…基板ユニット、
７０…ランプ部材、  ７７…切欠き部７７、  ７８…保持部、
１２０…取り付け補助具
【図１】
2005317163.tif 000003
【図２】
2005317163.tif 000004
【図３】
2005317163.tif 000005
【図４】
2005317163.tif 000006
【図５】
2005317163.tif 000007
【図６】
2005317163.tif 000008
【図７】
2005317163.tif 000009
【図８】
2005317163.tif 000010
【図９】
2005317163.tif 000011
【図１０】
2005317163.tif 000012